(57)【要約】【課題】画像形成装置の奥行きを大きくすることなく、且つ、原稿保持板を持ち上げ易くした画像形成装置を提供する。【解決手段】原稿を載置するコンタクトガラスが設けられたスキャナ部本体３００と、スキャナ部本体３００に回動自在に設けられた自動原稿送り装置４００と、の間に原稿を挟み込む圧板開閉式スキャナ３と、該圧板開閉式スキャナ３が載置された画像形成装置本体２と、を有し、画像形成装置本体２の上面に用紙排紙部２ａが形成された画像形成装置において、自動原稿送り装置４００の前面に、スキャナ部本体３００の前面よりも突出するようにして正面側に向けて斜め上方に突出した形状の取っ手部Ｔを形成した。【選択図】    図３
2014032413.tif 000002
【特許請求の範囲】
【請求項１】
原稿を載置するコンタクトプレートが設けられたスキャナ部本体と、該スキャナ部本体に回動自在に設けられた原稿保持板と、の間に原稿を挟み込む圧板開閉式スキャナを備えている画像形成装置において、
前記スキャナ部本体は、正面側上部の角部が面取りされた、手前から奥側に向けて下方から上方に傾斜する傾斜面を有し、
前記原稿保持板の前面には、前記傾斜面に対向する位置に指を引っ掛けるための凹部が形成され、
前記凹部と前記傾斜面とで形成される空間が、前記原稿保持板を開閉するときの指挿入空間を構成している
ことを特徴とする画像形成装置。
【請求項２】
請求項１に記載の画像形成装置において、
前記凹部の正面側下端部は前記スキャナ部本体の正面側上端部と同じ位置にある
ことを特徴とする画像形成装置。
【請求項３】
請求項１又は２に記載の画像形成装置において、前記凹部は前記圧板開閉式スキャナの幅方向に亘って形成されている
ことを特徴とする画像形成装置。
【請求項４】
請求項１ないし３のいずれかに記載の画像形成装置において、
前記凹部の側端に壁部が起立している
ことを特徴とする画像形成装置。
【発明の詳細な説明】
【技術分野】
【０００１】
本発明は、複写機、プリンタ、ＦＡＸなどの画像形成装置に関する。
【背景技術】
【０００２】
従来、画像形成装置本体の上面の用紙排紙部に排出された用紙を視認し易く且つ取り出し易いようにするために、スキャナ部を後方に配置した画像形成装置が知られている（例えば、特許文献１参照）。
しかし、特許文献１の画像形成装置の圧板開閉式スキャナでは、原稿保持板とスキャナ部本体との前面とが同程度の位置にされており、原稿保持板を持ち上げ易くするために原稿保持板の先端側は鍔状にされている。この鍔状の部分では原稿を保持することができず、水平面においてコンタクトガラスの位置と抵触していない。また、原稿を載置するコンタクトガラスは一定の大きさが必要である。そのため、どうしても圧板開閉式スキャナの奥行き、ひいては画像形成装置の奥行きが大きくなる。そして、画像形成装置の設置床面積が大きくなる。
奥行きを小さくするには、鍔部をスキャナ部本体の前面から突出させる方法が挙げられるが、このようにすると鍔部の存在により用紙排紙部に排出された用紙の視認性及び取出し性が低下する。
【発明の概要】
【発明が解決しようとする課題】
【０００３】
そこで、本発明は上記問題点に鑑みてなされたものであり、その課題は、画像形成装置の奥行きを大きくすることなく、且つ、原稿保持板を持ち上げ易くした画像形成装置を提供することを目的としている。
【課題を解決するための手段】
【０００４】
上記課題を解決する手段である本発明の特徴を以下に挙げる。
本発明の画像形成装置は、原稿を載置するコンタクトプレートが設けられたスキャナ部本体と、該スキャナ部本体に回動自在に設けられた原稿保持板と、の間に原稿を挟み込む圧板開閉式スキャナを備えている画像形成装置において、前記スキャナ部本体は、正面側上部の角部が面取りされた、手前から奥側に向けて下方から上方に傾斜する傾斜面を有し、前記原稿保持板の前面には、前記傾斜面に対向する位置に指を引っ掛けるための凹部が形成され、前記凹部と前記傾斜面とで形成される空間が、前記原稿保持板を開閉するときの指挿入空間を構成していることを特徴とする。
また、本発明の画像形成装置は、さらに、前記凹部の正面側下端部は前記スキャナ部本体の正面側上端部と同じ位置にあることを特徴とする。
また、本発明の画像形成装置は、さらに、前記凹部は前記圧板開閉式スキャナの幅方向に亘って形成されていることを特徴とする。
また、本発明の画像形成装置は、さらに、前記凹部の側端に壁部が起立していることを特徴とする。
【発明の効果】
【０００５】
上記解決する手段としての画像形成装置では、スキャナ部本体の正面側上部の角部が面取り、手前から奥側に向けて下方から上方に傾斜する傾斜面を有し、さらに、原稿保持板の前面には傾斜面に対向する位置に指を引っ掛けるための凹部が形成されていて、この凹部と傾斜面とで形成される空間が、原稿保持板を開閉するときの指挿入空間を構成しているので、画像形成装置の奥行きを大きくすることなく、且つ、原稿保持板を持ち上げ易くすることができる。
【図面の簡単な説明】
【０００６】
【図１】図１は、本発明の画像形成装置の第１実施形態を示す説明図である。
【図２】図２は、画像形成装置の内部の構造を示す説明図である。
【図３】図３は、図１の画像形成装置の側面図である。
【図４】図４は、図１の圧板開閉式スキャナを示す説明図である。
【図５】図５は、本発明の画像形成装置の要部を示す説明図である。
【図６】図６は、本発明の画像形成装置の第２実施形態を示す説明図である。
【図７】図７は、図６の圧板開閉式スキャナを示す説明図である。
【発明を実施するための形態】
【０００７】
以下に、本発明を実施するための最良の形態を図面に基づいて説明する。なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【０００８】
〔第１実施形態〕
図１は、本発明の圧板開閉式スキャナの第１実施形態を備える画像形成装置を示している。この画像形成装置は、画像形成装置本体２と、この画像形成装置本体上に搭載された圧板開閉式スキャナ３とを有している。画像形成装置本体２の上面には、印刷された用紙が排出される用紙排紙部２ａが形成されている。この圧板開閉式スキャナ３は、スキャナ部本体３００と、原稿保持板としても機能する自動原稿送り装置４００とを備えている。原稿は自動原稿送り装置４００の原稿台３０に載置され、自動原稿送り装置４００が作動すると原稿が自動原稿送り装置内に送り込まれ、次いで、コンタクトプレートであるコンタクトガラス３２（図２記載）上でスキャナ部本体３００によってイメージスキャンされた後、原稿排紙部３１に排出される。原稿台３０に原稿が積み重ねられた場合、原稿は１枚ずつ搬送され、原稿排紙部３１に原稿が次々積み重ねられて行く。一方、自動原稿送り装置４００を使用しない場合は、自動原稿送り装置４００を上方へ回動させて開放し、コンタクトガラス３２（図２記載）に原稿を載置し、次いで自動原稿送り装置４００を閉じて、原稿を自動原稿送り装置４００とスキャナ部本体３００との間に挟み込み、スキャナ部本体３００で原稿に記載されている画像情報を読み込む。
【０００９】
次に、画像形成装置の内部構造について説明する。図２は、複数の像担持体（感光体ともいう）が並行して配設されたタンデム型のカラーレーザー複写機（以下、単に「複写機」という）である。なお、図１の画像形成装置と外観が多少相異するが、基本的構造は同じである。
この複写機は、画像形成装置本体２と圧板開閉式スキャナ３とから構成されている。画像形成装置本体２には、プリンタ部１００と、プリンタ部１００を載せる給紙装置２００とを備えている。圧板開閉式スキャナ３は、プリンタ部１００の上に固定されたスキャナ部本体３００と、スキャナ部本体３００に回動自在に設けられた自動原稿送り装置４００とを備えている。
上記プリンタ部１００は、イエロー（Ｙ）、マゼンタ（Ｍ）、シアン（Ｃ）、ブラック（Ｋ）の各色の画像を形成するための４個のプロセスカートリッジ１８Ｙ，Ｍ，Ｃ，Ｋからなる画像形成ユニット２０を備えている。各符号の数字の後に付されたＹ，Ｍ，Ｃ，Ｋは、イエロー、マゼンタ、シアン、ブラック用の部材であることを示している。プロセスカートリッジ１８Ｙ，Ｍ，Ｃ，Ｋの他には、光書込ユニット２１、中間転写ユニット１７、二次転写装置２２、レジストローラ対４９、ベルト定着方式の定着装置２５などが配設されている。
光書込ユニット２１は、図示しない光源、ポリゴンミラー、ｆ−θレンズ、反射ミラーなどを有し、画像データに基づいて後述の像担持体の表面にレーザー光を照射する。すると、照射部（露光部）の電位が減衰する。この減衰により、像担持体１の表面に静電潜像が形成される。形成された静電潜像は現像装置４によって現像されてトナー像となる。
【００１０】
像担持体１上に形成されたトナー像は、中間転写ベルト１１０に一次転写される。一次転写後の像担持体１の表面にはトナーが残っているため、クリーニング装置によって像担持体１の表面がクリーニングされる。
クリーニング装置によってクリーニングされた像担持体１の表面は、潤滑剤塗布装置を経た後、除電器によって除電される。そして、帯電装置によって一様帯電されて、初期状態に戻る。
【００１１】
次に、中間転写ユニット１７について説明する。
中間転写ユニット１７は、中間転写ベルト１１０やベルトクリーニング装置９０を有している。また、中間転写ユニット１７は、従動ローラ１４、駆動ローラ１５、二次転写バックアップローラ１６、及び４個の一次転写バイアスローラ６２Ｙ，Ｍ，Ｃ，Ｋを有している。
中間転写ベルト１１０は、従動ローラ１４を含む複数のローラによって張架されている。そして、中間転写ベルト１１０は、モータによって駆動される駆動ローラ１５の回転によって無端移動する。
４個の一次転写バイアスローラ６２Ｙ，Ｍ，Ｃ，Ｋは、それぞれ中間転写ベルト１１０の内周面に接触するようにして配設され、図示しない電源から一次転写バイアスの印加を受ける。また、一次転写バイアスローラ６２Ｙ，Ｍ，Ｃ，Ｋは中間転写ベルト１１０をその内周面側から像担持体１Ｙ，Ｍ，Ｃ，Ｋに向けて押圧して一次転写ニップを形成する。一次転写バイアスの影響により、像担持体１Ｙ，Ｍ，Ｃ，Ｋと一次転写バイアスローラ６２Ｙ，Ｍ，Ｃ，Ｋとの間（一次転写ニップ）に一次転写電界が形成される。
【００１２】
Ｙ用の像担持体１Ｙ上に形成されたＹトナー像は、この一次転写電界やニップ圧の影響によって中間転写ベルト１１０上に一次転写される。このＹトナー像の上には、Ｍ，Ｃ，Ｋ用の像担持体１Ｍ，Ｃ，Ｋ上に形成されたＭ，Ｃ，Ｋトナー像が順次重ね合わされる。この重ね合わせにより、中間転写ベルト１１０上には多重トナー像である４色重ね合わせトナー像（以下、４色トナー像という）が形成される。
中間転写ベルト１１０上に転写された４色トナー像は、後述の二次転写ニップで用紙に転写される。二次転写ニップ通過後の中間転写ベルト１１０の表面に残留する転写残トナーは、従動ローラ１４との間でベルトを挟み込むベルトクリーニング装置９０によってクリーニングされる。
【００１３】
次に、二次転写装置２２について説明する。
中間転写ユニット１７の下方には、２個の張架ローラ２３によって張架された紙搬送ベルト２４を備える二次転写装置２２が配設されている。紙搬送ベルト２４は、少なくともいずれか一方の張架ローラ２３の回転駆動に伴って、無端移動する。２個の張架ローラ２３のうち、図中右側に配設された張架ローラ２３は、二次転写バックアップローラ１６との間に、中間転写ベルト１１０及び紙搬送ベルト２４を挟み込んでいる。この挟込みにより、中間転写ベルト１１０と紙搬送ベルト２４とが接触して二次転写ニップが形成される。そして、この右側の張架ローラ２３には、トナーと逆極性の二次転写バイアスが印加される。この二次転写バイアスの印加により、二次転写ニップには中間転写ベルト１１０上の４色トナー像をベルト側からこの張架ローラ２３側に向けて静電移動させる二次転写電界が形成される。後述のレジストローラ対４９によって中間転写ベルト１１０上の４色トナー像に同期するように二次転写ニップに送り込まれた用紙には、この二次転写電界やニップ圧により４色トナー像が転写される。なお、このように張架ローラ２３に二次転写バイアスを印加する二次転写方式に代えて、用紙を非接触で帯電させる帯電チャージャを設けてもよい。
【００１４】
複写機本体の下部に設けられた給紙装置２００には、複数の用紙を束の状態にして収容可能な給紙カセット４４が、鉛直方向に間隔を置いて複数配設されている。給紙カセット４４の一番上の用紙には、給紙ローラ４２が押し当てられている。そして、給紙ローラ４２を回転させることにより、一番上の用紙は給紙路４６に向けて送り出される。
給紙カセット４４から送り出された用紙を受け入れる給紙路４６には、複数の搬送ローラ対４７と、給紙路４６の末端付近に設けられたレジストローラ対４９とが設けられている。用紙は、搬送ローラ対４７を介してレジストローラ対４９に向けて搬送される。レジストローラ対４９に向けて搬送された用紙は、レジストローラ対４９のローラ間に挟まれる。一方、中間転写ベルト１１０上に形成された４色トナー像は、ベルトの無端移動に伴って二次転写ニップに進入する。レジストローラ対４９は、ローラ間に挟み込んだ用紙に二次転写ニップにおいて４色トナー像を転写させることができるタイミングで、用紙を送り出す。これにより、二次転写ニップにおいて、中間転写ベルト１１０上の４色トナー像が用紙に転写され、フルカラー画像となる。このようにしてフルカラー画像が形成された用紙は、紙搬送ベルト２４の無端移動に伴って移動し、次いで紙搬送ベルト２４上から定着装置２５に送られる。
【００１５】
定着装置２５は、定着ベルト２６を２個のローラによって張架させながら無端移動させる装置であるベルトユニットと、定着ベルト２６を押圧する加圧ローラ２７とを備えている。定着ベルト２６と加圧ローラ２７とは互いに当接して定着ニップを形成しており、紙搬送ベルト２４から受け取った用紙をここに挟み込む。ベルトユニットにおける２個のローラのうち、加圧ローラ２７に押圧される方のローラは、内部に図示しない熱源を備えており、これの発熱によって定着ベルト２６を加熱する。加熱された定着ベルト２６は、定着ニップに挟み込まれた用紙を加熱する。この加熱やニップ圧の影響により、フルカラー画像が用紙に定着する。
定着装置２５内で定着処理が施された用紙は、プリンタ筐体の図中左側板から突設したスタック部５７上に排紙されるか、もう一方の面にもトナー像を形成するために二次転写ニップに戻されるかする。
原稿のコピーがとられる際には、例えばシート原稿の束が自動原稿送り装置４００の原稿台３０上にセットされる。又は、１枚の原稿がコンタクトガラス３２上にセットされる。なお、コンタクトプレートとしてコンタクトガラスが用いられているが、ガラスプレートでなく、例えば、アクリルなどのプラスチックシートを用いることも可能である。光透過性があれば、材質は特に限定されない。１枚ずつコンタクトガラス３２上にセットする場合、先ず、複写機本体に対して自動原稿送り装置４００を上方へ回動させ、コンタクトガラス３２を露出させる。この後、コンタクトガラス３２に原稿を載置し、次いで自動原稿送り装置４００を下方へ回動させてコンタクトガラス３２との間に原稿を挟み込む。
【００１６】
このようにして原稿がセットされた後、コピースタートスイッチが押下されると、スキャナ部本体３００による原稿読取動作がスタートする。但し、自動原稿送り装置４００にシート原稿がセットされた場合には、この原稿読取動作に先立って、自動原稿送り装置４００がシート原稿をコンタクトガラス３２まで自動移動させる。原稿読取動作では、先ず、第１走行体３３と第２走行体３４とがともに走行を開始し、第１走行体３３に設けられた光源から光が発射される。そして、原稿面からの反射光は、第２走行体３４内に設けられたミラーで反射し、次いで、結像レンズ３５を通過し、最後に読取センサ３６に入射する。読取センサ３６は、入射光に基づいて画像情報を構築する。
このような原稿読取動作と併行して、各プロセスカートリッジ１８Ｙ，Ｍ，Ｃ，Ｋ内の各機器、中間転写ユニット１７、二次転写装置２２、及び定着装置２５がそれぞれ駆動を開始する。そして、読取センサ３６によって構築された画像情報に基づいて、光書込ユニット２１が駆動制御されて、各像担持体１Ｙ，Ｍ，Ｃ，Ｋ上に、Ｙ，Ｍ，Ｃ，Ｋトナー像が形成される。これらトナー像は、中間転写ベルト１１０上に重ね合わせて転写され、４色トナー像となる。
また、原稿読取動作の開始とほぼ同時に、給紙装置２００内では給紙動作が開始される。この給紙動作では、複数の給紙ローラ４２のうちの１個が選択的に回転させられ、ペーパーバンク４３内に多段に設けられる給紙カセット４４のうちの１つから用紙が送り出される。用紙が送り出される際、分離ローラ４５で１枚ずつ用紙が分離されて１枚ずつ用紙が給紙路４６に進入する。その後、搬送ローラ対４７によって二次転写ニップに向けて搬送される。一方、給紙カセット４４からの給紙に代えて、手差しトレイ５１からの給紙が行われる場合がある。この場合、手差し給紙ローラ５０が選択的に回転させられ、手差し給紙ローラ５０によって用紙が画像形成装置内に送り出される。その際、複数枚の用紙が相互の摩擦力により一体として搬送されようとするが、分離ローラ５２があるので、用紙は１枚ずつ搬送されることになる。このようにして１枚ずつ用紙がプリンタ部１００の手差し給紙路５３に給紙される。
【００１７】
２色以上のトナーからなる多色画像を形成する場合には、中間転写ベルト１１０をその上部張架面がほぼ水平になる姿勢で張架して、上部張架面に全ての像担持体１Ｙ，Ｍ，Ｃ，Ｋを接触させる。これに対し、Ｋトナーのみからなるモノクロ画像を形成する場合には、図示しない機構により、中間転写ベルト１１０を図中左下に傾けるような姿勢にして、その上部張架面をＹ，Ｍ，Ｃ用の像担持体１Ｙ，Ｍ，Ｃから離間させる。そして、４個の像担持体１Ｙ，Ｍ，Ｃ，Ｋのうち、Ｋ用の像担持体１Ｋだけを回転させて、Ｋトナー像だけを作像する。この際、Ｙ，Ｍ，Ｃについては、像担持体１だけでなく、現像装置４の駆動をも停止させる。
本複写機は、複写機内の下記機器の制御を司るＣＰＵ等から構成される制御部と、図１に示すように液晶ディスプレイや各種キーボタン等などから構成される操作表示部２８とを備えている。ユーザーは、この操作表示部２８に対するキー入力操作により、制御部に対して命令を送ることで、片面プリントモード又は両面プリントモードを選択することができる。
【００１８】
図３は、図１の画像形成装置の側面図である。図１及び図３から分かるように、原稿保持板である自動原稿送り装置４００の前面には、用紙排紙部２ａに排出された用紙Ｐの視認性及び取出し性が損なわれないように、スキャナ部本体３００の前面よりも突出するようにして正面側に向けて斜め上方に突出した形状の取っ手部Ｔが形成されている。このような形状にすれば取っ手部Ｔを大きくすることができ、把持し易い。また、画像形成装置の奥行きを大きくすることなく、且つ、画像形成装置本体２の上面の用紙排紙部２ａに排出された用紙Ｐの視認性及び取出し性を低下させることなく、原稿保持板である自動原稿送り装置４００が持ち上げ易くされている。取っ手部Ｔは、より具体的には、圧板開閉式スキャナ３の正面側から背面側に向けて下方に傾斜した傾斜面Ｔａを有している。勿論、平面状の傾斜面でなく、湾曲面であったり、階段状であったりしてもよい。取っ手部Ｔは、用紙排紙部２ａに排出された用紙Ｐの視認性及び取出し性が損なわれないように、スキャナ部本体３００の前面よりも突出するようにして正面側に向けて斜め上方に突出した形状であればよく、特に形状は限定されない。
なお、自動原稿送り装置４００が閉じた状態にある場合、自動原稿送り装置４００を上方に回動させるには、取っ手部Ｔを把持し、次いで自動原稿送り装置４００を掬い上げることによって行う。
【００１９】
図４は、圧板開閉式スキャナ３を示している。図に示すように、スキャナ部本体３００は略直方体状をしており、近年の装置の小型化・軽量化の要求から厚みが薄くされている。このスキャナ部本体３００には、嘴状の自動原稿送り装置４００が設けられている。そして、スキャナ部本体３００には、前面側上部の角部が面取りされている。より具体的には、図５に示すように、スキャナ部本体３００の正面側上部に直線状に傾斜した面が形成されている。この傾斜面３００ａは正面側に向かうにつれて下降している。勿論、面取り形状は、指を挿入して自動原稿送り装置４００を持ち上げ易い形状であればよく、例えば、Ｒ状になっていてもよい。また、自動原稿送り装置４００の取っ手部Ｔには指を引っ掛けるための凹部４００ａが形成されており、傾斜面３００ａと凹部４００ａを形成したことにより長尺状の指挿入空間Ｓが形成されている。凹部４００ａには、例えば、細かい凹凸を形成するとよい。このようにすると、他の部分との触覚による識別は容易になる。また、自動原稿送り装置４００を持ち上げる際の滑止めの機能をも発揮する。
【００２０】
スキャナ部本体３００の角部の面取りされた部分の側端には、壁部３００ｂが起立している。すなわち、指挿入空間Ｓの側端には該指挿入空間Ｓを形成するために、壁部３００ｂが形成されている。同様に、自動原稿送り装置４００の凹部４００ａは、壁部４００ａ１を有している。このように、壁部３００ｂ，４００ａ１を形成すると、自動原稿送り装置４００を持つための指挿入空間Ｓの位置を指で触れることで把握することができる。従って、視覚に頼らなくてもよく、視覚障害を持つユーザにとって使い勝手の良いものとなる。また、概ね視覚で位置を確認してから指の感覚に頼って指挿入空間Ｓに指を挿入し、指を指挿入空間Ｓの側端側に移動させて側端の位置を確認し、次いで、自動原稿送り装置４００を持ち上げ易い位置に、指を配置する操作方法も有効である。すなわち、本実施形態の圧板開閉式スキャナ３は手探りで自動原稿送り装置４００を持ち上げることができ、作業性に優れている。特に、原稿保持板の開閉頻度が高い複写作業、ＦＡＸ作業及びスキャン作業に用いると、有効である。また、車椅子を使用中のユーザにとっては、健常者に比べ作業位置が限定されることが多いが、手探りで好適な位置に指を配置することができるので、力を然程入れずに原稿保持板を持ち上げることができる。そのため、力を入れ難い態勢であっても作業することができる。
【００２１】
上述した第１実施形態の画像形成装置では、原稿保持板である自動原稿送り装置４００の前面には、用紙排紙部２ａに排出された用紙Ｐの視認性及び取出し性が損なわれないように、スキャナ部本体３００の前面よりも突出するようにして正面側に向けて斜め上方に突出した形状の取っ手部Ｔが形成されているので、画像形成装置の奥行きを大きくすることなく、且つ、画像形成装置本体２の上面の用紙排紙部２ａに排出された用紙Ｐの視認性及び取出し性を低下させることなく、自動原稿送り装置４００を持ち上げ易くすることができる。
【００２２】
〔第２実施形態〕
図６は、本発明の圧板開閉式スキャナの第２実施形態を備える画像形成装置を示している。この第２実施形態に係る画像形成装置は第１実施形態に係る画像形成装置と比べて、原稿保持板の形態が異なる。第１実施形態では原稿保持板として自動原稿送り装置４００を用いた例について説明したが、この第２実施形態では原稿保持板として薄板状の圧板４００Ａが用いられている。
図７は、図６の圧板開閉式スキャナ３を拡大して示している。この図７の圧板開閉式スキャナ３では、第１実施形態と同様にスキャナ部本体３００の正面側上部の角部に面取りが施されている。より具体的には、平面状の傾斜面３００ａが形成されている。また、圧板４００Ａの正面側には取っ手部Ｔが形成されており、この取っ手部Ｔに凹部４００ａが形成されている。傾斜面３００ａと凹部４００ａを形成したことにより長尺状の指挿入空間Ｓ（図５参照）が形成されている。
【００２３】
上述した第２実施形態の圧板開閉式スキャナ３では、第１実施形態と同様の作用効果を奏する。さらに、この第２実施形態の圧板開閉式スキャナ３では、圧板４００Ａが薄いため圧板４００Ａを持ち上げるための指を挿入する空間を凹部４００ａのみでは十分に確保することができないが、傾斜面３００ａが形成された指挿入空間Ｓが存在するので、薄い圧板４００Ａを用いた場合であっても容易に指を、指挿入空間Ｓに挿入することができる。そして、圧板４００Ａを容易に持ち上げることができる。なお、この第２実施形態で用いられている圧板４００Ａは幅方向中央に向かうに従い盛り上がるように湾曲しているため、幅方向中央部付近が最も指を挿入し易い。圧板４００Ａの上面の幅方向中央にはマーク部４００ｂが形成されており、視覚的に中央の位置を把握することができると共に、視覚によらずに指の感覚で中央の位置を把握することができる。
【符号の説明】
【００２４】
１  像担持体
２  画像形成装置本体
２ａ  用紙排紙部
３  圧板開閉式スキャナ
４  現像装置
１４  従動ローラ
１５  駆動ローラ
１６  二次転写バックアップローラ
１７  中間転写ユニット
１８  プロセスカートリッジ
２０  画像形成ユニット
２１  光書込ユニット
２２  二次転写装置
２３  張架ローラ
２４  紙搬送ベルト
２５  定着装置
２６  定着ベルト
２７  加圧ローラ
２８  操作表示部
３０  原稿台
３１  原稿排紙部
３２  コンタクトガラス
３３  第１走行体
３４  第２走行体
３５  結像レンズ
３６  読取センサ
４２  給紙ローラ
４３  ペーパーバンク
４４  給紙カセット
４５  分離ローラ
４６  給紙路
４７  搬送ローラ対
４９  レジストローラ対
５０  手差し給紙ローラ
５１  手差しトレイ
５２  分離ローラ
５３  手差し給紙路
５７  スタック部
６２  一次転写バイアスローラ
９０  ベルトクリーニング装置
１００  プリンタ部
１１０  中間転写ベルト
２００  給紙装置
３００  スキャナ部本体
３００ａ  傾斜面
３００ｂ  壁部
４００  自動原稿送り装置
４００Ａ  圧板
４００ａ  凹部
４００ａ１  壁部
４００ｂ  マーク部
Ｐ  用紙
Ｓ  指挿入空間
Ｔ  取っ手部
Ｔａ  傾斜面
【先行技術文献】
【特許文献】
【００２５】
【特許文献１】特許第３３５６１７２号公報
【図１】
2014032413.tif 000003
【図２】
2014032413.tif 000004
【図３】
2014032413.tif 000005
【図４】
2014032413.tif 000006
【図５】
2014032413.tif 000007
【図６】
2014032413.tif 000008
【図７】
2014032413.tif 000009